(57)【要約】【課題】この発明は、県複放送で優先されなかった放送局に対する割り当てルールを規定して、割り当ての自由度を効率的に高めることを可能とした放送受信装置及び放送受信方法を提供することを目的としている。【解決手段】受信された放送チャンネルが県域放送の県複放送局である場合、受信状態が良好でないと判断された放送チャンネルを、広域放送局及び域外放送局よりも優先順位を高くして選局ポジションに割り当てる。また、受信された放送チャンネルが広域放送の県複放送局である場合、受信状態が良好でないと判断された放送チャンネルを、域外放送局よりも優先順位を高くして選局ポジションに割り当てる。【選択図】    図５
2004363805.tif 000002
【特許請求の範囲】
【請求項１】
受信された放送チャンネルを、予め設定された数の選局ポジションに割り当てる放送受信装置において、
放送を受信する放送受信手段と、
この放送受信手段で受信された放送チャンネルが、県域放送に対応し、かつ、県複放送に対応することを判別する判別手段と、
この判別手段で判別された放送チャンネルの受信状態を判断する判断手段と、
この判断手段で受信状態が良好であると判断された放送チャンネルを、優先的に前記選局ポジションに割り当てる第１の割り当て手段と、
前記判断手段で受信状態が良好でないと判断された放送チャンネルを、広域放送及び域外放送に対応する放送チャンネルよりも優先順位を高くして前記選局ポジションに割り当てる第２の割り当て手段とを具備してなることを特徴とする放送受信装置。
【請求項２】
受信された放送チャンネルを、予め設定された数の選局ポジションに割り当てる放送受信装置において、
放送を受信する放送受信手段と、
この放送受信手段で受信された放送チャンネルが、県域放送に対応し、かつ、県複放送に対応することを判別する判別手段と、
この判別手段で判別された放送チャンネルの受信状態を判断する判断手段と、
この判断手段で受信状態が良好であると判断された放送チャンネルを、優先的に前記選局ポジションに割り当てる第１の割り当て手段と、
前記判断手段で受信状態が良好でないと判断された放送チャンネルを、広域放送に対応する放送チャンネルよりも優先順位を低くし、かつ、域外放送に対応する放送チャンネルよりも優先順位を高くして前記選局ポジションに割り当てる第２の割り当て手段とを具備してなることを特徴とする放送受信装置。
【請求項３】
受信された放送チャンネルを、予め設定された数の選局ポジションに割り当てる放送受信装置において、
放送を受信する放送受信手段と、
この放送受信手段で受信された放送チャンネルが、県域放送に対応し、かつ、県複放送に対応することを判別する判別手段と、
この判別手段で判別された放送チャンネルの受信状態を判断する判断手段と、
この判断手段で受信状態が良好であると判断された放送チャンネルを、優先的に前記選局ポジションに割り当てる第１の割り当て手段と、
前記判断手段で受信状態が良好でないと判断された放送チャンネルを、広域放送及び域外放送に対応する放送チャンネルよりも優先順位を低くして前記選局ポジションに割り当てる第２の割り当て手段とを具備してなることを特徴とする放送受信装置。
【請求項４】
前記判別手段は、放送信号に含まれる制御情報に基づいて、受信された放送チャンネルが、県域放送に対応し、かつ、県複放送に対応することを判別することを特徴とする請求項１乃至３いずれかに記載の放送受信装置。
【請求項５】
受信された放送チャンネルを、予め設定された数の選局ポジションに割り当てる放送受信装置において、
放送を受信する放送受信手段と、
この放送受信手段で受信された放送チャンネルが、広域放送に対応し、かつ、県複放送に対応することを判別する判別手段と、
この判別手段で判別された放送チャンネルの受信状態を判断する判断手段と、
この判断手段で受信状態が良好であると判断された放送チャンネルを、優先的に前記選局ポジションに割り当てる第１の割り当て手段と、
前記判断手段で受信状態が良好でないと判断された放送チャンネルを、域外放送に対応する放送チャンネルよりも優先順位を高くして前記選局ポジションに割り当てる第２の割り当て手段とを具備してなることを特徴とする放送受信装置。
【請求項６】
受信された放送チャンネルを、予め設定された数の選局ポジションに割り当てる放送受信装置において、
放送を受信する放送受信手段と、
この放送受信手段で受信された放送チャンネルが、広域放送に対応し、かつ、県複放送に対応することを判別する判別手段と、
この判別手段で判別された放送チャンネルの受信状態を判断する判断手段と、
この判断手段で受信状態が良好であると判断された放送チャンネルを、優先的に前記選局ポジションに割り当てる第１の割り当て手段と、
前記判断手段で受信状態が良好でないと判断された放送チャンネルを、域外放送に対応する放送チャンネルよりも優先順位を低くして前記選局ポジションに割り当てる第２の割り当て手段とを具備してなることを特徴とする放送受信装置。
【請求項７】
前記判別手段は、放送信号に含まれる制御情報に基づいて、受信された放送チャンネルが、広域放送に対応し、かつ、県複放送に対応することを判別することを特徴とする請求項５または６記載の放送受信装置。
【請求項８】
受信された放送チャンネルを、予め設定された数の選局ポジションに割り当てる放送受信方法において、
放送を受信する工程と、
受信された放送チャンネルが、県域放送に対応し、かつ、県複放送に対応する人を判別する工程と、
判別された放送チャンネルの受信状態を判断する工程と、
受信状態が良好であると判断された放送チャンネルを、優先的に前記選局ポジションに割り当てる工程と、
受信状態が良好でないと判断された放送チャンネルを、広域放送及び域外放送に対応する放送チャンネルよりも優先順位を高くして前記選局ポジションに割り当てる工程とを具備してなることを特徴とする放送受信方法。
【請求項９】
受信された放送チャンネルを、予め設定された数の選局ポジションに割り当てる放送受信方法において、
放送を受信する工程と、
受信された放送チャンネルが、県域放送に対応し、かつ、県複放送に対応することを判別する工程と、
判別された放送チャンネルの受信状態を判断する工程と、
受信状態が良好であると判断された放送チャンネルを、優先的に前記選局ポジションに割り当てる工程と、
受信状態が良好でないと判断された放送チャンネルを、広域放送に対応する放送チャンネルよりも優先順位を低くし、かつ、域外放送に対応する放送チャンネルよりも優先順位を高くして前記選局ポジションに割り当てる工程とを具備してなることを特徴とする放送受信方法。
【請求項１０】
受信された放送チャンネルを、予め設定された数の選局ポジションに割り当てる放送受信方法において、
放送を受信する工程と、
受信された放送チャンネルが、県域放送に対応し、かつ、県複放送に対応することを判別する工程と、
判別された放送チャンネルの受信状態を判断する工程と、
受信状態が良好であると判断された放送チャンネルを、優先的に前記選局ポジションに割り当てる工程と、
受信状態が良好でないと判断された放送チャンネルを、広域放送及び域外放送に対応する放送チャンネルよりも優先順位を低くして前記選局ポジションに割り当てる工程とを具備してなることを特徴とする放送受信方法。
【請求項１１】
受信された放送チャンネルを、予め設定された数の選局ポジションに割り当てる放送受信方法において、
放送を受信する工程と、
受信された放送チャンネルが、広域放送に対応し、かつ、県複放送に対応することを判別する工程と、
判別された放送チャンネルの受信状態を判断する工程と、
受信状態が良好であると判断された放送チャンネルを、優先的に前記選局ポジションに割り当てる工程と、
受信状態が良好でないと判断された放送チャンネルを、域外放送に対応する放送チャンネルよりも優先順位を高くして前記選局ポジションに割り当てる工程とを具備してなることを特徴とする放送受信方法。
【請求項１２】
受信された放送チャンネルを、予め設定された数の選局ポジションに割り当てる放送受信方法において、
放送を受信する工程と、
受信された放送チャンネルが、広域放送に対応し、かつ、県複放送に対応することを判別する工程と、
判別された放送チャンネルの受信状態を判断する工程と、
受信状態が良好であると判断された放送チャンネルを、優先的に前記選局ポジションに割り当てる工程と、
受信状態が良好でないと判断された放送チャンネルを、域外放送に対応する放送チャンネルよりも優先順位を低くして前記選局ポジションに割り当てる工程とを具備してなることを特徴とする放送受信方法。
【発明の詳細な説明】
【０００１】
【発明の属する技術分野】
この発明は、特に地上デジタル放送の受信に好適する放送受信装置及び放送受信方法に関する。
【０００２】
【従来の技術】
周知のように、近年では、テレビジョン放送のデジタル化が推進されている。そして、日本国内においては、ＢＳ（Ｂｒｏａｄｃａｓｔｉｎｇ  Ｓａｔｅｌｌｉｔｅ）デジタル放送及び１１０度ＣＳ（Ｃｏｍｍｕｎｉｃａｔｉｏｎ  Ｓａｔｅｌｌｉｔｅ）デジタル放送等の衛星デジタル放送だけでなく、地上デジタル放送も開始される運びとなっている。
【０００３】
この地上デジタル放送は、現行の地上アナログ放送の基盤を前提としているため、チャンネルのダイレクト選局のためのキーの数を１２個とする１２ポジションの概念や、日本全国を複数の地域に分割して各地域毎に放送局を設置する地域単位の概念が、その運用規程に盛り込まれている。
【０００４】
そして、各地域に存在する放送局は、番組情報とともに、自己の放送がどの地域向けの放送であるかを示す制御情報（地域識別）や、自己の放送チャンネルを１２ポジションのうちのどのポジションに割り当てるかを指定する制御情報（ｒｅｍｏｔｅ＿ｃｏｎｔｒｏｌ＿ｋｅｙ＿ｉｄ）等を送信している。
【０００５】
一方、ユーザは、購入した地上デジタル放送対応の放送受信機を自宅に設置した後、放送受信機に自己の居住地域を設定する。これにより、放送受信機は、ＵＨＦ（Ｕｌｔｒａ  Ｈｉｇｈ  Ｆｒｅｑｕｅｎｃｙ）帯物理チャンネルを順番にスキャンし、受信可能な地上デジタル放送の放送局を検出する。
【０００６】
この場合、放送受信機は、スキャンによって検出した放送局から送出される地域識別情報に基づいて、その放送局からの放送が、ユーザの居住地域向けの放送（域内放送）であるか、あるいは、ユーザの居住地域外の放送（域外放送）であるかを判別することができる。
【０００７】
そして、ユーザの居住地域向けの放送である場合、放送受信機は、リモートコントローラに設置された１２個のチャンネル選局キーのうち、その放送局から送出されるｒｅｍｏｔｅ＿ｃｏｎｔｒｏｌ＿ｋｅｙ＿ｉｄで指定されたポジションのキーに、その放送局のチャンネルを割り当てる。
【０００８】
これにより、リモートコントローラの各チャンネル選局キーに、放送チャンネルをそれぞれ対応させて設定することができる。このようにチャンネル設定された後は、ユーザがリモートコントローラの所望のチャンネル選局キーを操作するだけで、そのキーに対応した放送チャンネルが選局されることになる。
【０００９】
ここで、上記したｒｅｍｏｔｅ＿ｃｏｎｔｒｏｌ＿ｋｅｙ＿ｉｄによる放送チャンネルの１２ポジション割り当ては、ＡＲＩＢ（電波産業会）／ＪＥＩＴＡ（電子情報技術産業協会）発行のガイドラインに順じて行なわれる。ところが、このガイドラインは、基本処理のみを規定しているだけで、応用処理もしくは例外処理の詳細までは規定していないものである。
【００１０】
具体的に言えば、地上デジタル放送には、上述したように、域内放送と域外放送とがある。そして、域内放送は、さらに、１つの県を放送対象とした県域放送と、複数の県を放送対象とした広域放送とに分かれる。
【００１１】
そして、上記のガイドラインでは、基本的に、受信した放送チャンネルに対して、県域放送、広域放送、域外放送の順で優先的に１２ポジションに割り当てるように規定している。
【００１２】
ところで、県域放送には、同一県域内で系列の同じ複数の放送局が運用される県複放送も存在する。この県複放送は、ｎｅｔｗｏｒｋ＿ｉｄやｓｅｒｖｉｃｅ＿ｉｄは異なるが、地域事業者識別やｒｅｍｏｔｅ＿ｃｏｎｔｒｏｌ＿ｋｅｙ＿ｉｄが同じである複数の放送局が、同一県域内で運用される規定である。
【００１３】
すなわち、放送内容が同一の放送局が、同一県域内で複数運用されるものである。そして、上記した運用規定では、複数の県複放送局が存在する場合は、受信感度（アンテナレベル等）の良い放送チャンネルを優先的に１２ポジションに割り当てるようにしている。
【００１４】
要するに、地上デジタル放送における１２ポジションへの放送局割り当ては、域内放送局を優先的にｒｅｍｏｔｅ＿ｃｏｎｔｒｏｌ＿ｋｅｙ＿ｉｄの指示に基づいて処理される。また、域外放送局は、域内放送局が割り当てられた後の空きポジションに、運用規定に基づいて割り当てられる。そして、県複放送の場合は、複数の県複放送局のｒｅｍｏｔｅ＿ｃｏｎｔｒｏｌ＿ｋｅｙ＿ｉｄが全て同一のため、受信条件の最も良い放送局が優先的に割り当てられる。
【００１５】
この場合、県複放送で受信不良と判定された放送局についての１２ポジションへの割り当てルールは、運用規定で定められていない。しかしながら、基本的な運用規定によれば、域外放送局よりも域内放送局の方が優先されることから、域外放送局よりも、県複放送で優先されなかった放送局の方が優先的に１２ポジションに割り当てられることになる。
【００１６】
このことは、受信条件の良い放送局として既に割り当てられた県複放送局と同一内容の放送を行なう放送局が、域外放送に優先して割り当てられることを意味する。
【００１７】
このため、例えば、ユーザが、他番組を放送している域外放送局の方を１２ポジションに割り当てたいと希望しても、その要求は実現されないものとなる。つまり、県複放送で優先されなかった放送局に対する割り当てルールは規定されていないにも拘わらず、実質的には割り当ての自由度が大きく損なわれることになる。
【００１８】
特許文献１には、受信可能なチャンネルにより得られた選局情報を順次メモリに記憶していくとともに、同一局が既にサーチされているときにはチューナから得られるＣ／Ｎまたはエラーレートに基づき、その優れている方を選択してメモリに記憶させる構成が開示されている。
【００１９】
また、特許文献２には、地上波デジタル放送において、地域（県域）毎に放送に使用する周波数が異なる可能性が高い状況の場合、受信機で地域毎に受信周波数を設定できるようにした構成が開示されている。
【００２０】
さらに、特許文献３には、受信強度の低減等、放送電波の受信状態が悪化しても、いずれかの受信部において当該放送信号に対する受信処理を実行することを可能とする構成が開示されている。
【００２１】
しかしながら、これら特許文献１乃至３には、いずれも、県域放送の県複放送で優先されなかった放送局に対する１２ポジションへの割り当てルールや、広域放送の県複放送で優先されなかった放送局に対する１２ポジションへの割り当てルール等について、明確な規定は何ら記載されていないものである。
【００２２】
【特許文献１】
特開２００２−３２０１５２号公報
【００２３】
【特許文献２】
特開２００１−１９７０２５号公報
【００２４】
【特許文献３】
特開２００２−５１２７３号公報
【００２５】
【発明が解決しようとする課題】
そこで、この発明は上記事情を考慮してなされたもので、県複放送で優先されなかった放送局に対する割り当てルールを規定して、割り当ての自由度を効率的に高めることを可能とした放送受信装置及び放送受信方法を提供することを目的とする。
【００２６】
【課題を解決するための手段】
この発明に係る放送受信装置は、受信された放送チャンネルを、予め設定された数の選局ポジションに割り当てるものを対象としている。そして、放送を受信する放送受信手段と、この放送受信手段で受信された放送チャンネルが、県域放送に対応し、かつ、県複放送に対応することを判別する判別手段と、この判別手段で判別された放送チャンネルの受信状態を判断する判断手段と、この判断手段で受信状態が良好であると判断された放送チャンネルを、優先的に選局ポジションに割り当てる第１の割り当て手段と、判断手段で受信状態が良好でないと判断された放送チャンネルを、広域放送及び域外放送に対応する放送チャンネルよりも優先順位を高くして選局ポジションに割り当てる第２の割り当て手段とを備えるようにしたものである。また、受信状態が良好でないと判断された放送チャンネルを、広域放送に対応する放送チャンネルよりも優先順位を低くし、かつ、域外放送に対応する放送チャンネルよりも優先順位を高くして選局ポジションに割り当てる手段を備えるようにしたものである。さらに、受信状態が良好でないと判断された放送チャンネルを、広域放送及び域外放送に対応する放送チャンネルよりも優先順位を低くして選局ポジションに割り当てる手段を備えるようにしたものである。
【００２７】
また、この発明に係る放送受信装置は、受信された放送チャンネルを、予め設定された数の選局ポジションに割り当てるものを対象としている。そして、放送を受信する放送受信手段と、この放送受信手段で受信された放送チャンネルが、広域放送に対応し、かつ、県複放送に対応することを判別する判別手段と、この判別手段で判別された放送チャンネルの受信状態を判断する判断手段と、この判断手段で受信状態が良好であると判断された放送チャンネルを、優先的に選局ポジションに割り当てる第１の割り当て手段と、判断手段で受信状態が良好でないと判断された放送チャンネルを、域外放送に対応する放送チャンネルよりも優先順位を高くして選局ポジションに割り当てる第２の割り当て手段とを備えるようにしたものである。また、受信状態が良好でないと判断された放送チャンネルを、域外放送に対応する放送チャンネルよりも優先順位を低くして選局ポジションに割り当てる手段を備えるようにしたものである。
【００２８】
一方、この発明に係る放送受信方法は、受信された放送チャンネルを、予め設定された数の選局ポジションに割り当てる方法を対象としている。そして、放送を受信する工程と、受信された放送チャンネルが、県域放送に対応し、かつ、県複放送に対応する人を判別する工程と、判別された放送チャンネルの受信状態を判断する工程と、受信状態が良好であると判断された放送チャンネルを、優先的に選局ポジションに割り当てる工程と、受信状態が良好でないと判断された放送チャンネルを、広域放送及び域外放送に対応する放送チャンネルよりも優先順位を高くして選局ポジションに割り当てる工程とを備えるようにしたものである。また、受信状態が良好でないと判断された放送チャンネルを、広域放送に対応する放送チャンネルよりも優先順位を低くし、かつ、域外放送に対応する放送チャンネルよりも優先順位を高くして選局ポジションに割り当てる工程を備えるようにしたものである。さらに、受信状態が良好でないと判断された放送チャンネルを、広域放送及び域外放送に対応する放送チャンネルよりも優先順位を低くして選局ポジションに割り当てる工程を備えるようにしたものである。
【００２９】
また、この発明に係る放送受信方法は、受信された放送チャンネルを、予め設定された数の選局ポジションに割り当てる方法を対象としている。そして、放送を受信する工程と、受信された放送チャンネルが、広域放送に対応し、かつ、県複放送に対応することを判別する工程と、判別された放送チャンネルの受信状態を判断する工程と、受信状態が良好であると判断された放送チャンネルを、優先的に選局ポジションに割り当てる工程と、受信状態が良好でないと判断された放送チャンネルを、域外放送に対応する放送チャンネルよりも優先順位を高くして選局ポジションに割り当てる工程とを備えるようにしたものである。また、受信状態が良好でないと判断された放送チャンネルを、域外放送に対応する放送チャンネルよりも優先順位を低くして選局ポジションに割り当てる工程を備えるようにしたものである。
【００３０】
上記のような構成及び方法によれば、県複放送で優先されなかった放送局に対する割り当てルールを規定することができ、割り当ての自由度を効率的に高めることが可能となる。
【００３１】
【発明の実施の形態】
以下、この発明の実施の形態について、図面を参照して詳細に説明する。図１は、地上デジタル放送の受信に対応するデジタルテレビジョン放送受信機を示している。
【００３２】
すなわち、デジタルアンテナ１１で受信された地上デジタル放送信号は、チューナ１２に供給されて所定の伝送チャンネルが選局された後、エラー訂正回路１３に出力される。
【００３３】
このエラー訂正回路１３は、チューナ１２から出力された受信信号に復調処理を施し、エラー訂正処理を行なった後、スクランブル制御回路１４に出力している。
【００３４】
このスクランブル制御回路１４は、入力された受信信号にスクランブル処理が施されている場合、そのスクランブルを解除するデスクランブル処理を施して、多重データ分離回路１５に出力する。この場合、スクランブル制御回路１４から多重データ分離回路１５に供給されるデータは、複数のチャンネル及び番組のデータを含む多重データである。
【００３５】
この多重データ分離回路１５は、受信信号のビットストリームに含まれる識別情報ＩＤに基づいてパケットを分離している。そして、この多重データ分離回路１５は、ＳＩ（Ｓｅｒｖｉｃｅ  Ｉｎｆｏｒｍａｔｉｏｎ）情報の番組情報を分離すると、これらの番組情報をコントロール制御回路１６に供給するとともに、パケット毎の映像信号についてはＭＰＥＧ（Ｍｏｖｉｎｇ  Ｐｉｃｔｕｒｅ  Ｅｘｐｅｒｔｓ  Ｇｒｏｕｐ）映像再生回路１７に供給し、音声信号についてはＭＰＥＧ音声再生回路１８に供給する。
【００３６】
このＭＰＥＧ映像再生回路１７は、入力された映像信号が圧縮符号化されたものであるため、この圧縮符号化データにデコード処理を施し、アナログの映像信号にして出力している。
【００３７】
また、上記コントロール制御回路１６は、多重データ分離回路１５から取得したＳＩ情報に基づいて、表示に要求されるＯＳＤ信号を生成し、ＯＳＤ回路１９に出力している。
【００３８】
そして、このＯＳＤ回路１９は、ＭＰＥＧ映像再生回路１７から出力された映像信号と、コントロール制御回路１６から供給されたＯＳＤ信号とを重畳して、ＣＲＴ（Ｃａｔｈｏｄｅ  Ｒａｙ  Ｔｕｂｅ）２０に出力し、映像表示させる。
【００３９】
また、上記ＭＰＥＧ音声再生回路１８は、入力された音声信号が圧縮符号化されたものであるため、この音声信号にデコード処理を施し、デコード処理後のアナログの音声信号を出力している。そして、このＭＰＥＧ音声再生回路１８から出力される音声信号は、スピーカ２１に導かれて音声再生される。
【００４０】
ここで、このデジタルテレビジョン放送受信機は、その全ての動作を、コントロール制御回路１６によって統括的に制御されている。このコントロール制御回路１６は、図示しないＣＰＵ（Ｃｅｎｔｒａｌ  Ｐｒｏｃｅｓｓｉｎｇ  Ｕｎｉｔ）を内蔵しており、リモートコントローラ２２から送出される操作情報を受信し、その操作内容が反映されるように、各回路部をそれぞれ制御している。
【００４１】
図２は、上記リモートコントローラ２２の外観を示している。このリモートコントローラ２２には、１２ポジション対応キー群２３が設置されている。この１２ポジション対応キー群２３は、１〜１２の番号が付された１２個のチャンネル選局キーで構成されている。
【００４２】
図３は、上記ＳＩ情報の中のサービス識別情報（１６ビット）を示している。このサービス識別情報は、６ビットの地域識別情報、１ビットの県複フラグ、２ビットのサービス種別情報、４ビットの地域事業者識別情報及び３ビットのサービス番号とから構成されている。
【００４３】
このうち、地域識別情報は、県域放送であるか広域放送であるかを指定する情報である。県複フラグは、県複放送局がある場合「１」となる。サービス種別情報は、「０」テレビ型、「１」／「２」データ型（部分受信サービスを除く）、「３」データ型（部分受信サービス）である。なお、部分受信サービスとは、携帯型受信機向けのデータ放送サービスである。地域事業者識別情報は、地域識別毎に定義される放送事業者の識別情報である。サービス番号は、０〜７を放送事業者毎に指定が可能である。
【００４４】
図４は、地上デジタル放送の受信可能な放送チャンネルを検索し、検索された放送チャンネルを１２ポジション対応キー群２３の１２個のチャンネル選局キーに割り当てる基本動作を示している。
【００４５】
まず、処理が開始（ステップＳ１）されると、ステップＳ２で、ユーザがデジタルテレビジョン放送受信機に居住地域を設定する。すると、コントロール制御回路１６は、ステップＳ３で、地上デジタル放送が行なわれている物理チャンネルを順次スキャンし、ステップＳ４で、受信可能な地上デジタル放送の受信放送局テーブルを作成する。
【００４６】
次に、コントロール制御回路１６は、ステップＳ５で、受信放送局テーブルに登録された各放送局について、域内放送局であるか否かを判別する。そして、域内放送局である（ＹＥＳ）と判断された放送局について、コントロール制御回路１６は、ステップＳ６で、その放送チャンネルを１２ポジション対応キー群２３のチャンネル選局キーに割り当て、処理を終了（ステップＳ７）する。この割り当ては、当該放送局から送出されたｒｅｍｏｔｅ＿ｃｏｎｔｒｏｌ＿ｋｅｙ＿ｉｄで指定される。
【００４７】
また、ステップＳ５で、域内放送局でない（ＮＯ）と判断された放送局について、コントロール制御回路１６は、域外放送局であると判断し、ステップＳ８で、１２ポジション対応キー群２３のチャンネル選局キーのうち、その放送局から送出されたｒｅｍｏｔｅ＿ｃｏｎｔｒｏｌ＿ｋｅｙ＿ｉｄで指定されるポジションのキーに空きがあるか否かを判別する。
【００４８】
そして、指定されたポジションに空きがあると判断された場合（ＹＥＳ）、コントロール制御回路１６は、ステップＳ６の処理に移行する。また、指定されたポジションに空きがないと判断された場合（ＮＯ）、コントロール制御回路１６は、ステップＳ９で、その放送局を、地域識別情報、地域事業者識別情報の順で割り当てに供するように制御して、処理を終了（ステップＳ７）する。
【００４９】
図５は、図４に示した基本動作に、県域放送の県複放送局が存在するか否かの判断を加えた割り当て動作の一例を示している。図５において、図４と同一ステップには同一符号を付して示し、異なる部分について説明する。
【００５０】
すなわち、上記ステップＳ５で、域内放送局である（ＹＥＳ）と判断された放送局について、コントロール制御回路１６は、ステップＳ１０で、県域放送の県複放送局であるか否かを判別する。そして、県複放送局でない（ＮＯ）と判断された放送局について、コントロール制御回路１６は、ステップＳ６の処理に移行する。
【００５１】
また、ステップＳ１０で、県域放送の県複放送局である（ＹＥＳ）と判断された放送局について、コントロール制御回路１６は、ステップＳ１１で、その受信状態が良好か否かを判別する。この受信状態が良好か否かの判別は、例えば、受信Ｃ／Ｎ（Ｃａｒｒｉｅｒ  Ｔｏ  Ｎｏｉｓｅ  Ｒａｔｉｏ）またはＢＥＲ（Ｂｉｔ  Ｅｒｒｏｒ  Ｒａｔｅ）を判別することによって行なわれる。
【００５２】
そして、受信状態が良好であると判断された場合（ＹＥＳ）、コントロール制御回路１６は、ステップＳ６の処理に移行する。また、受信状態が良好でないと判断された場合（ＮＯ）、コントロール制御回路１６は、ステップＳ１２で、その放送チャンネルを広域放送局及び域外放送局よりも高い優先順位で１２ポジションに割り当てるように設定して、処理を終了（ステップＳ７）する。
【００５３】
図６は、図５に示した割り当て動作の変形例を示している。図６において、図５と同一ステップには同一符号を付して示し、異なる部分について説明する。すなわち、上記ステップＳ１１で県複放送局について受信状態が良好でないと判断された場合（ＮＯ）、コントロール制御回路１６は、ステップＳ１３で、その放送チャンネルを、広域放送局よりも優先順位を低くし、かつ、域外放送局よりも優先順位を高くして１２ポジションに割り当てるように設定し、処理を終了（ステップＳ７）する。
【００５４】
図７は、図５に示した割り当て動作のさらに他の変形例を示している。図７において、図５と同一ステップには同一符号を付して示し、異なる部分について説明する。
【００５５】
すなわち、上記ステップＳ１１で県複放送局について受信状態が良好でないと判断された場合（ＮＯ）、コントロール制御回路１６は、ステップＳ１４で、その放送チャンネルを、広域放送局及び域外放送局よりも優先順位を低くして１２ポジションに割り当てるように設定し、処理を終了（ステップＳ７）する。
【００５６】
上記した図５乃至図７に示した動作によれば、県域放送の県複放送局で受信状態が良好でなかった放送チャンネルについて、広域放送局及び域外放送局よりも高い優先順位で１２ポジションに割り当てる設定、広域放送局よりも優先順位を低くし、かつ、域外放送局よりも優先順位を高くして１２ポジションに割り当てる設定、広域放送局及び域外放送局よりも優先順位を低くして１２ポジションに割り当てる設定というように、３種類の割り当てルールを規定したので、割り当ての自由度を効率的に高めることが可能となる。そして、この３種類の割り当てルールは、ユーザがリモートコントローラ２２を操作することにより、選択的に設定することができる。
【００５７】
図８は、図４に示した基本動作に、広域放送の県複放送局が存在するか否かの判断を加えた割り当て動作の一例を示している。図８において、図４のステップＳ１〜Ｓ４は同じであるから省略するとともに、同一ステップには同一符号を付して示し、異なる部分について説明する。
【００５８】
すなわち、上記ステップＳ５で、域内放送局である（ＹＥＳ）と判断された放送局について、コントロール制御回路１６は、ステップＳ１５で、広域放送の県複放送局であるか否かを判別する。そして、県複放送局でない（ＮＯ）と判断された放送局について、コントロール制御回路１６は、ステップＳ６の処理に移行する。
【００５９】
また、ステップＳ１５で、広域放送の県複放送局である（ＹＥＳ）と判断された放送局について、コントロール制御回路１６は、ステップＳ１６で、その受信状態が良好か否かを判別する。この受信状態が良好か否かの判別は、例えば、受信Ｃ／Ｎ（Ｃａｒｒｉｅｒ  Ｔｏ  Ｎｏｉｓｅ  Ｒａｔｉｏ）またはＢＥＲ（Ｂｉｔ  Ｅｒｒｏｒ  Ｒａｔｅ）を判別することによって行なわれる。
【００６０】
そして、受信状態が良好であると判断された場合（ＹＥＳ）、コントロール制御回路１６は、ステップＳ１７で、その放送チャンネルを、県域放送局よりも優先順位を低くし、かつ、受信不良と判断された県複放送局よりも優先順位を高くして１２ポジションに割り当てるように設定し、処理を終了（ステップＳ７）する。
【００６１】
また、上記ステップＳ１６で受信状態が良好でないと判断された場合（ＮＯ）、コントロール制御回路１６は、ステップＳ１８で、その放送チャンネルを域外放送局よりも優先順位を高くして１２ポジションに割り当てるように設定し、処理を終了（ステップＳ７）する。
【００６２】
図９は、図８に示した割り当て動作の変形例を示している。図９において、図８と同一ステップには同一符号を付して示し、異なる部分について説明する。すなわち、上記ステップＳ１６で県複放送局について受信状態が良好でないと判断された場合（ＮＯ）、コントロール制御回路１６は、ステップＳ１９で、その放送チャンネルを、域外放送局よりも優先順位を低くして１２ポジションに割り当てるように設定し、処理を終了（ステップＳ７）する。
【００６３】
上記した図８及び図９に示した動作によっても、広域放送の県複放送局で受信状態が良好でなかった放送チャンネルについて、域外放送局よりも高い優先順位で１２ポジションに割り当てる設定、域外放送局よりも優先順位を低くして１２ポジションに割り当てる設定というように、２種類の割り当てルールを規定したので、割り当ての自由度を効率的に高めることが可能となる。そして、この２種類の割り当てルールは、ユーザがリモートコントローラ２２を操作することにより、選択的に設定することができる。
【００６４】
なお、この発明は上記した実施の形態そのままに限定されるものではなく、実施段階ではその要旨を逸脱しない範囲で構成要素を種々変形して具体化することができる。
【００６５】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００６６】
【発明の効果】
以上詳述したようにこの発明によれば、県複放送で優先されなかった放送局に対する割り当てルールを規定して、割り当ての自由度を効率的に高めることを可能とした放送受信装置及び放送受信方法を提供することができる。
【図面の簡単な説明】
【図１】この発明の実施の形態を示すもので、デジタルテレビジョン放送受信機の信号処理系を説明するために示すブロック構成図。
【図２】同デジタルテレビジョン放送受信機におけるリモートコントローラの外観を説明するために示す図。
【図３】同実施の形態におけるデジタルテレビジョン放送に含まれるＳＩ情報の中のサービス識別情報を説明するために示す図。
【図４】同デジタルテレビジョン放送受信機における受信チャンネルを１２ポジションに割り当てる基本動作を説明するために示すフローチャート。
【図５】同基本動作に県域放送の県複放送局が存在するか否かの判断を加えた割り当て動作の一例を説明するために示すフローチャート。
【図６】同基本動作に県域放送の県複放送局が存在するか否かの判断を加えた割り当て動作の他の例を説明するために示すフローチャート。
【図７】同基本動作に県域放送の県複放送局が存在するか否かの判断を加えた割り当て動作のさらに他の例を説明するために示すフローチャート。
【図８】同基本動作に広域放送の県複放送局が存在するか否かの判断を加えた割り当て動作の一例を説明するために示すフローチャート。
【図９】同基本動作に広域放送の県複放送局が存在するか否かの判断を加えた割り当て動作の他の例を説明するために示すフローチャート。
【符号の説明】
１１…デジタルアンテナ、１２…チューナ、１３…エラー訂正回路、１４…スクランブル制御回路、１５…多重データ分離回路、１６…コントロール制御回路、１７…ＭＰＥＧ映像再生回路、１８…ＭＰＥＧ音声再生回路、１９…ＯＳＤ回路、２０…ＣＲＴ、２１…スピーカ、２２…リモートコントローラ、２３…１２ポジション対応キー群。
【図１】
2004363805.tif 000003
【図２】
2004363805.tif 000004
【図３】
2004363805.tif 000005
【図４】
2004363805.tif 000006
【図５】
2004363805.tif 000007
【図６】
2004363805.tif 000008
【図７】
2004363805.tif 000009
【図８】
2004363805.tif 000010
【図９】
2004363805.tif 000011